(57)【特許請求の範囲】
【請求項１】
ＵＳＢ２．０デバイスが接続される第１から第４までの端子及び拡張された第５から第９までの端子を有するＵＳＢ３．０インタフェース用の第１ＵＳＢコネクタを備える第１電子機器と、ＵＳＢ２．０デバイスが接続される第１から第４までの端子及び拡張された第５から第９までの端子を有するＵＳＢ３．０インタフェース用の第２ＵＳＢコネクタを備える第２電子機器とが接続してある電子機器システムであって、
前記第１電子機器は、
ＢＩＯＳデータ格納用の格納部を備え、
該格納部は、前記第１ＵＳＢコネクタが有する第１から第４までの端子の状態にかかわらず、前記第１から第４までの端子を用いずに前記第５から第９までの端子のうちの１又は複数の端子を介した外部からのアクセスが可能に構成されており、
前記第２電子機器は、
ＢＩＯＳデータを記憶するデータ記憶部と、
前記第２ＵＳＢコネクタが有する第１から第４までの端子の状態にかかわらず、前記第１から第４までの端子を用いずに前記第５から第９までの端子のうちの１又は複数の端子を介して、前記データ記憶部に記憶されているＢＩＯＳデータを前記第１電子機器へ送出し、前記第１電子機器の格納部に書き込む書き込み部とを備える
ことを特徴とする電子機器システム。
【請求項２】
前記第２電子機器は、
前記格納部から読み出したＢＩＯＳデータと、前記データ記憶部に記憶されているＢＩＯＳデータとが一致するか否かを判定する判定部を備えることを特徴とする請求項１に記載の電子機器システム。
【請求項３】
前記第２電子機器は、
前記書き込み部によってＢＩＯＳデータを前記格納部に書き込み中であるか否か、又は前記判定部による判定結果を通知する通知部を備えることを特徴とする請求項２に記載の電子機器システム。
【請求項４】
前記第２電子機器は、
前記データ記憶部に記憶されているＢＩＯＳデータを前記格納部に書き込む処理と、前記格納部から読み出したＢＩＯＳデータ及び前記データ記憶部に記憶されているＢＩＯＳデータが一致するか否かを判定する処理とを含む処理のうちで、実行すべき処理の指定を受け付ける受付部を備えることを特徴とする請求項２又は３に記載の電子機器システム。
【請求項５】
前記第２電子機器は、
前記書き込み部がＢＩＯＳデータを書き込んだ第１電子機器を特定するための情報を記憶する情報記憶部を備えることを特徴とする請求項１から４までのいずれかひとつに記載の電子機器システム。
【請求項６】
前記第２電子機器は、
電源部を備え、
前記書き込み部によってＢＩＯＳデータを前記格納部に書き込み中である場合、前記電源部から供給される電力によって動作するようにしてあることを特徴とする請求項１から５までのいずれかひとつに記載の電子機器システム。
【発明の詳細な説明】
【技術分野】
【０００１】
本発明は、ＵＳＢ（Universal Serial Bus）コネクタを備える複数の電子機器が接続してある電子機器システムに関する。
【背景技術】
【０００２】
一般的なコンピュータは、起動するためにＢＩＯＳ（Basic Input/Output System）が必要であり、一般的なコンピュータ用のマザーボードには、ＢＩＯＳが書き込まれたＢＩＯＳ−ＲＯＭが搭載されている。
このようなコンピュータにおいて、ＢＩＯＳ−ＲＯＭの格納内容が破壊された場合、又はＢＩＯＳがバージョンアップされた場合には、ＢＩＯＳ−ＲＯＭを交換することによりＢＩＯＳの修復又はバージョンアップを行うことができる。
【０００３】
特許文献１には、ＢＩＯＳ−ＲＯＭにフラッシュメモリを用いることによって、ＢＩＯＳ−ＲＯＭを交換することなく、ＢＩＯＳ−ＲＯＭの格納内容を書き換えることでＢＩＯＳの修復又はバージョンアップが可能なパーソナルコンピュータが提案されている。特許文献１に開示されたパーソナルコンピュータでは、電源投入後の通常状態において、ＢＩＯＳ−ＲＯＭの格納内容の書き換えが可能である。
【先行技術文献】
【特許文献】
【０００４】
【特許文献１】特開平５−２１６６３９号公報
【発明の概要】
【発明が解決しようとする課題】
【０００５】
ところで、ＢＩＯＳ−ＲＯＭがブランク状態であった場合、マザーボードが起動できないので、コンピュータに搭載されたＯＳ（Operating System）も起動できず、コンピュータが通常動作を行うことはできなかった。即ち、ブランク状態のＢＩＯＳ−ＲＯＭに対してＢＩＯＳを書き込むことはできなかった。従って、マザーボードには、ＢＩＯＳが予め書き込まれたＢＩＯＳ−ＲＯＭを搭載しておく必要があった。また、ＢＩＯＳ−ＲＯＭにＢＩＯＳが書き込まれているものの、コンピュータ（マザーボード）が起動できない程度にＢＩＯＳ−ＲＯＭの格納内容が破壊されていた場合には、ＢＩＯＳ−ＲＯＭの格納内容を書き換えることはできなかった。
【０００６】
本発明は、斯かる事情に鑑みてなされたものであり、その目的とするところは、ＢＩＯＳ−ＲＯＭがブランク状態である場合、又は電子機器（コンピュータ）が起動できない程度にＢＩＯＳ−ＲＯＭの格納内容が破壊されていた場合であっても、ＢＩＯＳ−ＲＯＭに対するデータの書き込みが可能な電子機器システムを提供することにある。
【課題を解決するための手段】
【０００７】
本発明に係る電子機器システムは、ＵＳＢ２．０デバイスが接続される第１から第４までの端子及び拡張された第５から第９までの端子を有するＵＳＢ３．０インタフェース用の第１ＵＳＢコネクタを備える第１電子機器と、ＵＳＢ２．０デバイスが接続される第１から第４までの端子及び拡張された第５から第９までの端子を有するＵＳＢ３．０インタフェース用の第２ＵＳＢコネクタを備える第２電子機器とが接続してある電子機器システムであって、前記第１電子機器は、ＢＩＯＳデータ格納用の格納部を備え、該格納部は、前記第１ＵＳＢコネクタが有する第１から第４までの端子の状態にかかわらず、前記第１から第４までの端子を用いずに前記第５から第９までの端子のうちの１又は複数の端子を介した外部からのアクセスが可能に構成されており、前記第２電子機器は、ＢＩＯＳデータを記憶するデータ記憶部と、前記第２ＵＳＢコネクタが有する第１から第４までの端子の状態にかかわらず、前記第１から第４までの端子を用いずに前記第５から第９までの端子のうちの１又は複数の端子を介して、前記データ記憶部に記憶されているＢＩＯＳデータを前記第１電子機器へ送出し、前記第１電子機器の格納部に書き込む書き込み部とを備えることを特徴とする。
【０００８】
本発明によれば、第１電子機器及び第２電子機器は、ＵＳＢ３．０規格のＵＳＢコネクタをそれぞれ有し、ＵＳＢコネクタは、ＵＳＢ２．０デバイスが接続される第１から第４までの端子及び拡張された第５から第９までの端子の９つの端子を有する。第１電子機器は、ＢＩＯＳデータが格納される格納部を有しており、格納部は、ＵＳＢコネクタの第１から第４までの端子の状態にかかわらず、第１から第４までの端子を用いずに、第５から第９までの端子のうちの１又は複数の端子を介して、外部からのアクセスが可能である。第２電子機器は、ＵＳＢコネクタの第１から第４までの端子の状態にかかわらず、第１から第４までの端子を用いずに、第５から第９までの端子のうちの１又は複数の端子を介して、自身が記憶しているＢＩＯＳデータを第１電子機器の格納部に書き込むことが可能である。よって、第２電子機器を用いて第１電子機器の格納部へのＢＩＯＳデータの書き込みが可能となる。また、ＵＳＢコネクタの第１から第４までの端子の状態にかかわらず、第５から第９までの端子のうちの１又は複数の端子を用いてＢＩＯＳデータの書き込みが行われるので、ＵＳＢ規格の互換性が保持される。
【００１１】
本発明に係る電子機器システムは、前記第２電子機器は、前記格納部から読み出したＢＩＯＳデータと、前記データ記憶部に記憶されているＢＩＯＳデータとが一致するか否かを判定する判定部を備えることを特徴とする。
【００１２】
本発明によれば、第２電子機器は、第１電子機器の格納部から読み出したＢＩＯＳデータと、自身が記憶しているＢＩＯＳデータとを比較し、一致するか否かを判定する。よって、判定結果に応じた処理の実行が可能となり、例えば、両データが一致しない場合にのみ、自身が記憶しているＢＩＯＳデータの第１電子機器の格納部への書き込みを行うなど、不要な処理の実行を抑制できる。
【００１３】
本発明に係る電子機器システムは、前記第２電子機器は、前記書き込み部によってＢＩＯＳデータを前記格納部に書き込み中であるか否か、又は前記判定部による判定結果を通知する通知部を備えることを特徴とする。
【００１４】
本発明によれば、第２電子機器は、自身が記憶しているＢＩＯＳデータを第１電子機器の格納部に書き込み中である旨、又は第１電子機器の格納部から読み出したＢＩＯＳデータと自身が記憶しているＢＩＯＳデータとを比較した結果を通知する。よって、使用者は、第２電子機器の動作状態、第１電子機器で格納されているＢＩＯＳデータの適否などを容易に把握できる。
【００１５】
本発明に係る電子機器システムは、前記第２電子機器は、前記データ記憶部に記憶されているＢＩＯＳデータを前記格納部に書き込む処理と、前記格納部から読み出したＢＩＯＳデータ及び前記データ記憶部に記憶されているＢＩＯＳデータが一致するか否かを判定する処理とを含む処理のうちで、実行すべき処理の指定を受け付ける受付部を備えることを特徴とする。
【００１６】
本発明によれば、第２電子機器は、自身が記憶しているＢＩＯＳデータを第１電子機器の格納部に書き込む処理と、第１電子機器の格納部から読み出したＢＩＯＳデータ及び自身が記憶しているＢＩＯＳデータを比較する処理とを含む処理のうちで、いずれの処理を行うべきかを示す指示を外部から受け付ける。よって、使用者は、第２電子機器が実行すべき処理を指定することができる。
【００１７】
本発明に係る電子機器システムは、前記第２電子機器は、前記書き込み部がＢＩＯＳデータを書き込んだ第１電子機器を特定するための情報を記憶する情報記憶部を備えることを特徴とする。
【００１８】
本発明によれば、第２電子機器は、自身が記憶しているＢＩＯＳデータを第１電子機器の格納部に書き込んだ場合に、書き込み先の第１電子機器を特定するための情報を記憶する。このような情報に基づいて、例えば、第２電子機器を用いてメモリの内容が更新された第１電子機器を把握できる。
【００１９】
本発明に係る電子機器システムは、前記第２電子機器は、電源部を備え、前記書き込み部によってＢＩＯＳデータを前記格納部に書き込み中である場合、前記電源部から供給される電力によって動作するようにしてあることを特徴とする。
【００２０】
本発明によれば、第２電子機器は、電源部を有し、自身が記憶しているＢＩＯＳデータを第１電子機器の格納部に書き込み中である場合に、自身の電源部からの電力によって動作する。よって、例えば、第２電子機器にＵＳＢコネクタを介して接続された第１電子機器に電源が投入されていない状況であっても、第２電子機器は、自身の電源部からの電力により第１電子機器の格納部へのＢＩＯＳデータの書き込みが可能となる。
【発明の効果】
【００２５】
本発明では、ＵＳＢ規格の互換性を保持しつつ、電子機器のＢＩＯＳデータ格納用の格納部に対するＢＩＯＳデータの書き込み及び書き換えが可能となる。  
【図面の簡単な説明】
【００２６】
【図１】本実施形態の電子機器システムの構成を示すブロック図である。
【図２】本実施形態のＵＳＢ互換デバイスが行う処理の手順を示すフローチャートである。
【発明を実施するための形態】
【００２７】
以下、本発明をその実施形態を示す図面に基づいて具体的に説明する。図１は本実施形態の電子機器システムの構成を示すブロック図である。本実施形態の電子機器システムは、電子機器１０、及びこの電子機器１０にＵＳＢコネクタ１３，２３を介して接続されるＵＳＢ互換デバイス（電子機器）２０を備える。電子機器１０は、ＵＳＢ互換デバイス２０のほかに、ＵＳＢ２．０デバイスもＵＳＢコネクタ１３を介して接続可能である。
【００２８】
電子機器１０とＵＳＢ互換デバイス２０とは、例えば、端子１（第１端子）から端子９（第９端子）を有するＵＳＢ３．０規格に準拠したコネクタ形状のＵＳＢコネクタ１３，２３を介してお互いに接続される。ＵＳＢ３．０ホストコネクタ１３とＵＳＢ３．０デバイスコネクタ２３とをケーブルで接続する構成のほか、ケーブルを介さずにＵＳＢ３．０デバイスコネクタ２３を直接ＵＳＢ３．０ホストコネクタ１３に接続する構成とすることもできる。なお、電子機器１０にＵＳＢ２．０デバイスが接続される場合、ＵＳＢコネクタ１３の端子１から端子９までの端子のうち、端子１から端子４までの４つの端子を介して接続される。
【００２９】
以下の説明において、ＵＳＢ互換デバイス２０とは、ＵＳＢ２．０規格に準拠したデータ転送を行うことができるとともに、独自のデータ通信を行うことができるデバイス（ＵＳＢ２．０規格と互換性を有するＵＳＢ互換デバイス）である。また、ＵＳＢ２．０デバイスとは、ＵＳＢ２．０規格に準拠したデータ転送を行うことができるデバイスである。
【００３０】
電子機器１０は、マイコン１１、ＵＳＢバススイッチ１２、ＵＳＢ３．０ホストコネクタ（ＵＳＢコネクタ）１３、フラッシュメモリ１４、ＢＩＯＳ格納部１５などを備える。ＵＳＢ３．０ホストコネクタ１３は、ＵＳＢ２．０部１３１とＵＳＢ３．０拡張部１３２とを有し、端子１から端子４までがＵＳＢ２．０部１３１であり、端子５から端子９までがＵＳＢ３．０拡張部１３２である。
【００３１】
マイコン１１は、電子機器１０の制御を行う集積回路により構成され、ＵＳＢ２．０インタフェース１１１、ＳＰＩ（Serial Peripheral Interface）１１２などを有する。ＵＳＢ２．０インタフェース１１１は、ＵＳＢ３．０ホストコネクタ１３のＵＳＢ２．０部１３１に接続されており、ＵＳＢ２．０部１３１を介したデータ通信を行う。また、マイコン１１は、例えばＩ２Ｃインタフェース（I2C : Inter-Integrated Circuit）を有し、このインタフェースにて、ＵＳＢ３．０拡張部１３２を介したデータ通信を行う構成であってもよい。
【００３２】
マイコン１１にはフラッシュメモリ１４が接続されており、マイコン１１は、フラッシュメモリ１４に格納された情報、例えば、マイコン１１が搭載された基板を示すＭＡＣアドレスなどの情報を読み出すことができる。また、マイコン１１にはＢＩＯＳ格納部１５が接続されており、マイコン１１は、ＢＩＯＳ格納部１５に格納された情報を読み出すことができる。ＢＩＯＳ格納部１５は、例えばＳＰＩフラッシュメモリである。本実施形態の電子機器１０では、ＢＩＯＳ格納部１５は、ＵＳＢ３．０ホストコネクタ１３のＵＳＢ３．０拡張部１３２に接続されており、ＵＳＢ３．０拡張部１３２の端子５〜端子９のうちの１又は複数の端子を介した外部からのアクセスが可能である。
【００３３】
ＵＳＢ互換デバイス２０は、ＵＳＢ２．０規格と互換性を有するデバイスであり、マイコン２１、ＵＳＢコントローラ２２、ＵＳＢ３．０デバイスコネクタ（ＵＳＢコネクタ）２３、フラッシュメモリ２４、表示部２５、スイッチ２６などを備える。ＵＳＢ互換デバイス２０のＵＳＢ３．０デバイスコネクタ２３は、ＵＳＢ２．０部２３１とＵＳＢ３．０拡張部２３２とを有し、端子１から端子４までがＵＳＢ２．０部２３１であり、端子５から端子９までがＵＳＢ３．０拡張部２３２である。
【００３４】
マイコン２１は、ＵＳＢ互換デバイス２０の制御を行う集積回路により構成され、図示しないが、ＵＳＢ２．０インタフェース、Ｉ２Ｃインタフェースを有し、ＵＳＢ３．０デバイスコネクタ２３を介して外部装置（電子機器１０）とデータ通信を行う。マイコン２１には記憶部（データ記憶部）２１１が内蔵されている。マイコン２１にはＵＳＢコントローラ２２が接続されており、マイコン２１がＵＳＢコントローラ２２の動作を制御することにより、例えばフラッシュメモリ２４に格納されている情報を、ＵＳＢ３．０デバイスコネクタ２３を介して外部へ送信できる。
【００３５】
ＵＳＢ互換デバイス２０は、電子機器１０に接続された場合、端子５（第５端子）から端子９（第９端子）までのＵＳＢ３．０拡張部２３２を使用し、電子機器１０のＢＩＯＳ格納部１５に格納されているＢＩＯＳデータの読み出し、及びＢＩＯＳ格納部１５へのＢＩＯＳデータの書き込みを行う。具体的には、ＵＳＢ互換デバイス２０のマイコン（送出部）１１は、端子５〜端子９のうちの１又は複数の端子を用いて電子機器１０と通信を行う。なお、ＢＩＯＳ格納部１５に書き込むＢＩＯＳデータは、マイコン１１の記憶部２１１に記憶されている。また、ＵＳＢ互換デバイス２０のマイコン（判定部）２１は、電子機器１０のＢＩＯＳ格納部１５から読み出したＢＩＯＳデータと、記憶部２１１に記憶されているデータ（ＢＩＯＳデータ）とを比較し、一致するか否かの判定を行う。
【００３６】
スイッチ２６は、ＵＳＢ互換デバイス２０（マイコン２１）が実行すべき処理の指定をユーザから受け付ける受付部であり、ユーザの操作に従って受け付けた処理をマイコン２１に通知する。これにより、マイコン２１は、ユーザからの指示に従った処理を実行できる。スイッチ２６は、ユーザによる指定が可能である処理の数だけ切替が可能な物理スイッチであり、スライド式のスイッチ、押しボタン式のスイッチなどである。本実施形態では、スイッチ２６によって、通常動作に関する処理、電子機器１０のＢＩＯＳ格納部１５へのＢＩＯＳデータの書き込み処理、ＢＩＯＳ格納部１５から読み出したＢＩＯＳデータと、記憶部２１１に記憶されているデータとの比較処理（判定処理）の指定が可能である。
【００３７】
表示部（通知部）２５は、例えば７セグメントディスプレイであり、ＵＳＢ互換デバイス２０の動作状態を、それぞれ対応する数字にてユーザに通知する。本実施形態の表示部２５は、マイコン２１が電子機器１０のＢＩＯＳ格納部１５へのＢＩＯＳデータの書き込み中である場合、「１」を表示する。また、表示部２５は、ＢＩＯＳ格納部１５から読み出したＢＩＯＳデータと、記憶部２１１に記憶されているデータとを比較した結果、一致する場合、「２」を表示し、一致しない場合「３」を表示する。なお、表示部２５による表示例はこれに限らない。例えば、ＢＩＯＳ格納部１５からＢＩＯＳデータを読み出し中である場合、ＢＩＯＳ格納部１５から読み出したＢＩＯＳデータと、記憶部２１１に記憶されているデータとの比較処理中である場合、ＵＳＢ互換デバイス２０が通常動作中である場合にも、それぞれ対応する数字を表示部２５が表示してもよい。なお、表示部２５のほかに、スピーカを用い、出力する音声を切り替えることによってＵＳＢ互換デバイス２０の動作状態をユーザに通知する構成としてもよい。
【００３８】
図１の例では、ＵＳＢホストコントローラを有する部品としてマイコン１１を実装した構成であるが、これに限定されるものではなく、ＳＯＣ（System On a Chip）、またはサウスブリッジチップセット等でＵＳＢホストコントローラを有する部品が実装される場合でも、本発明を適用することが可能である。
【００３９】
図２は本実施形態のＵＳＢ互換デバイス２０が行う処理の手順を示すフローチャートである。以下の説明では、処理の主体をマイコン２１として説明する。また、ＵＳＢ互換デバイス２０において、ユーザによってスイッチ２６が操作され、電子機器１０のＢＩＯＳ格納部１５へのＢＩＯＳデータの書き込み処理の実行が指示されているものとする。
【００４０】
電子機器１０に接続された場合、マイコン２１は、ＵＳＢ３．０拡張部２３２を介して、記憶部２１１に記憶してあるＢＩＯＳデータを、電子機器１０のＢＩＯＳ格納部１５に書き込む処理を開始する（Ｓ１）。マイコン２１は、表示部２５に「１」を表示させることによって、ＢＩＯＳデータを書き込み中である旨を通知する（Ｓ２）。マイコン２１は、ＢＩＯＳ格納部１５へのＢＩＯＳデータの書き込みが終了したか否かを判断しており（Ｓ３）、終了していない場合（Ｓ３：ＮＯ）、ＢＩＯＳデータを書き込み中である旨の通知を継続する（Ｓ２）。
【００４１】
ＢＩＯＳデータの書き込みが終了した場合（Ｓ３：ＹＥＳ）、マイコン２１は、電子機器１０のＢＩＯＳ格納部１５からＢＩＯＳデータを読み出し、読み出したＢＩＯＳデータと、記憶部２１１に記憶してあるＢＩＯＳデータとが一致するか否かを判定する（Ｓ４）。一致する場合（Ｓ４：ＹＥＳ）、マイコン２１は、表示部２５に「２」を表示させることによって、ＢＩＯＳデータの書き込みが正常に終了したことを通知し（Ｓ５）、処理を終了する。一方、一致しない場合（Ｓ４：ＮＯ）、マイコン２１は、表示部２５に「３」を表示させることによって、ＢＩＯＳデータの書き込みに失敗したことを通知し（Ｓ６）、処理を終了する。なお、ＢＩＯＳデータの書き込みを失敗した場合、ＢＩＯＳデータの書き込みを再度実行するようにしてもよい。
【００４２】
上述では、ユーザがスイッチ２６を介して、電子機器１０のＢＩＯＳ格納部１５へのＢＩＯＳデータの書き込み処理の実行を指定した場合に、ＵＳＢ互換デバイス２０が行う処理について説明した。ＵＳＢ互換デバイス２０は、例えば、ユーザがスイッチ２６を介して、電子機器１０のＢＩＯＳ格納部１５から読み出したＢＩＯＳデータと、マイコン２１の記憶部２１１に記憶されているデータとの比較処理の実行を指定した場合に、比較処理を行い、その結果、両者が一致しないときに、電子機器１０のＢＩＯＳ格納部１５へのＢＩＯＳデータの書き込み処理を行う構成であってもよい。
【００４３】
またＵＳＢ互換デバイス２０は、電子機器１０のＢＩＯＳ格納部１５にＢＩＯＳデータを書き込んだ場合に、書き込み先の電子機器１０を特定するための情報を取得し、記憶部２１１又はフラッシュメモリ２４に記憶しておいてもよい。この情報を用いることにより、ＵＳＢ互換デバイス２０によってＢＩＯＳが書き込まれた又は更新された電子機器を特定することができる。なお、書き込み先の電子機器１０を特定するための情報としては、例えば、電子機器１０のフラッシュメモリ１４に格納されているＭＡＣアドレスを用いることができる。
【００４４】
またＵＳＢ互換デバイス２０に電源部を設けて、ＵＳＢ互換デバイス２０が自身の電源部からの電力によって動作するようにしてもよい。この場合、電子機器１０に電力が供給されていない場合、電子機器１０がＵＳＢ互換デバイス２０に電力を供給できない場合、又は電子機器１０が起動していない場合にも、電子機器１０のＢＩＯＳ格納部１５へのＢＩＯＳデータの書き込みが可能となる。
【００４５】
上述の実施形態では、ＵＳＢ互換デバイス２０のマイコン２１が、ＵＳＢ３．０拡張部２３２，１３２を介して、電子機器１０のＢＩＯＳ格納部１５にＢＩＯＳデータを書き込む構成を示したが、この構成に限定されない。例えば、電子機器１０が通常動作中にＢＩＯＳ格納部１５の格納内容を更新する場合、ＵＳＢ互換デバイス２０のマイコン２１は、記憶部２１１に記憶されているＢＩＯＳデータを、このＢＩＯＳデータをＢＩＯＳ格納部１５に書き込む書込指示と共に、電子機器１０へ送信すればよい。この場合、ＢＩＯＳデータ及び書込指示を受信した電子機器１０のマイコン１１が、書込指示に従って、ＢＩＯＳデータをＢＩＯＳ格納部１５に書き込むことによって、ＢＩＯＳをバージョンアップさせることができる。
【符号の説明】
【００４６】
１〜９  端子
１０  電子機器
１１  マイコン
１３  ＵＳＢ３．０ホストコネクタ（ＵＳＢコネクタ）
１５  ＢＩＯＳ格納部
２０  ＵＳＢ互換デバイス（電子機器）
２１  マイコン（送出部、判定部）
２５  表示部（通知部）
２６  スイッチ（受付部）
２１１  記憶部（データ記憶部）
【要約】
【課題】ＵＳＢ規格に準拠しつつ、ＢＩＯＳ−ＲＯＭに対するデータの書き込みが可能な電子機器及び電子機器システムを提供する。
【解決手段】電子機器１０のＢＩＯＳ格納部１５は、ＵＳＢ３．０ホストコネクタ１３のＵＳＢ３．０拡張部１３２に接続されている。ＵＳＢ互換デバイス２０のマイコン２１は、ＵＳＢ３．０デバイスコネクタ２３のＵＳＢ３．０拡張部２３２に接続されている。ＵＳＢ互換デバイス２０のマイコン２１は、ＵＳＢ３．０拡張部２３２，１３２を介して、電子機器１０のＢＩＯＳ格納部１５へのデータの書き込み及び読み出しが可能である。また、ＵＳＢ互換デバイス２０のマイコン２１は、電子機器１０のＢＩＯＳ格納部１５から読み出したデータと、記憶部２１１に記憶させてあるデータとの比較を行い、比較結果の通知を行う。
【選択図】図１【図１】
0005191562.tif 000002
【図２】
0005191562.tif 000003